(57)【特許請求の範囲】
【請求項１】
対向する一対の第１断熱壁及び第２断熱壁に対して直交する仕切壁により第１断熱壁と第２断熱壁との間を仕切り、前記仕切壁を介して第１貯蔵室と第２貯蔵室とが隣接する冷蔵庫において、第１断熱壁に前後に延びて形成される溝部と、第２断熱壁に前後に延びて形成されるとともに第１貯蔵室に面した係止面を有する段差部と、前記仕切壁の一端に形成して前記溝部に嵌合する嵌合部とを設け、
前記嵌合部には第２貯蔵室側の面に形成した傾斜面から成る第１傾斜部が設けられ、
前記溝部には前記第１傾斜部に対向するように形成される傾斜面から成る第２傾斜部が設けられ、
前記第１傾斜部と前記第２傾斜部との間にシール部材が配され、
前記仕切壁が設置される際に前記嵌合部を第１貯蔵室内から斜めに前記溝部に挿入した状態で前後方向に垂直な面内で第２貯蔵室側へと回動して前記係止面により係止されることを特徴とする冷蔵庫。
【請求項２】
前記仕切壁と第１断熱壁とを固定するネジを有し、前記ネジの軸方向が第１傾斜部に略直交することを特徴とする請求項１に記載の冷蔵庫。
【請求項３】
対向する一対の第１断熱壁及び第２断熱壁に対して直交する仕切壁により第１断熱壁と第２断熱壁との間を仕切り、前記仕切壁を介して第１貯蔵室と第２貯蔵室とが隣接する冷蔵庫において、第１断熱壁に前後に延びて形成される溝部と、第２断熱壁に前後に延びて形成されるとともに第１貯蔵室に面した係止面を有する段差部と、前記仕切壁の一端に形成して前記溝部に嵌合する嵌合部とを設け、
前記仕切壁が設置される際に前記嵌合部を前記溝部に挿入した状態で前後方向に垂直な面内で回動して前記係止面により係止され、
前記嵌合部には第２貯蔵室側の面に形成した傾斜面から成る第１傾斜部が設けられ、
前記溝部には前記第１傾斜部に対向するように形成される傾斜面から成る第２傾斜部が設けられ、
前記第１傾斜部と前記第２傾斜部との間にシール部材が配され、
前記仕切壁と第１断熱壁とを固定するネジを有し、前記ネジの軸方向が第１傾斜部に略直交することを特徴とする冷蔵庫。
【請求項４】
前記係止面が傾斜面により形成されるとともに前記仕切壁に前記係止面に対向する傾斜面から成る当接部を有し、前記係止面と前記当接部との間にシール部材を配したことを特徴とする請求項１〜請求項３のいずれかに記載の冷蔵庫。
【請求項５】
冷凍サイクルを形成する放熱パイプが前記仕切壁の前面に配されることを特徴とする請求項１〜請求項４のいずれかに記載の冷蔵庫。
【発明の詳細な説明】
【技術分野】
【０００１】
本発明は貯蔵室を仕切る仕切壁を備えた冷蔵庫に関する。
【背景技術】
【０００２】
従来の冷蔵庫は特許文献１に開示されている。この冷蔵庫は複数の貯蔵室が形成される断熱箱体を備えている。断熱箱体は一体に形成した断熱壁によって上下方向に仕切られ、断熱箱体の下部は断熱壁と底壁との間に立設した仕切壁により左右方向に仕切られる。
【先行技術文献】
【特許文献】
【０００３】
【特許文献１】特開２０１１−３８６８６号公報（第３頁−第７頁、第２図）
【特許文献２】特開平１０−１８５４０７号公報
【発明の概要】
【発明が解決しようとする課題】
【０００４】
一般に仕切壁は断熱箱体の断熱壁及び底壁に設けた溝部に嵌合し、前方からスライドして溝部に挿入される。この時、周囲温度や湿度によって溝部及び仕切壁の大きさが変動し、溝部内を仕切壁が容易にスライドできない場合がある。このため、冷蔵庫の組立作業性が悪く、製造工数が大きくなる問題があった。
【０００５】
本発明は、製造工数を削減できる冷蔵庫を提供することを目的とする。
【課題を解決するための手段】
【０００６】
上記目的を達成するために本発明の冷蔵庫は、対向する一対の第１断熱壁及び第２断熱壁に対して直交する仕切壁により第１断熱壁と第２断熱壁との間を仕切り、前記仕切壁を介して第１貯蔵室と第２貯蔵室とが隣接する冷蔵庫において、第１断熱壁に前後に延びて形成される溝部と、第２断熱壁に前後に延びて形成されるとともに第１貯蔵室に面した係止面を有する段差部と、前記仕切壁の一端に形成して前記溝部に嵌合する嵌合部とを設け、前記仕切壁が設置される際に前記嵌合部を前記溝部に挿入した状態で前後方向に垂直な面内で回動して前記係止面により係止されることを特徴とする。
【０００７】
また本発明は、上記構成の冷蔵庫において、前記嵌合部の第２貯蔵室側の面に形成した傾斜面から成る第１傾斜部と、第１傾斜部に対向して前記溝部に形成される傾斜面から成る第２傾斜部とを有し、第１傾斜部と第２傾斜部との間にシール部材を配したことを特徴とする。
【０００８】
また本発明は、上記構成の冷蔵庫において、前記仕切壁と第１断熱壁とを固定するネジを有し、前記ネジの軸方向が第１傾斜部に略直交することを特徴とする。
【０００９】
また本発明は、上記構成の冷蔵庫において、前記係止面が傾斜面により形成されるとともに前記仕切壁に前記係止面に対向する傾斜面から成る当接部を有し、前記係止面と前記当接部との間にシール部材を配したことを特徴とする。
【００１０】
また本発明は、上記構成の冷蔵庫において、第１貯蔵室及び第２貯蔵室の一方が冷蔵温度に維持され、他方が冷凍温度に維持されることを特徴とする。
【００１１】
また本発明は、上記構成の冷蔵庫において、冷凍サイクルを形成する放熱パイプが前記仕切壁の前面に配されることを特徴とする。
【００１２】
また本発明は、上記構成の冷蔵庫において、第１断熱壁及び第２断熱壁を水平に配して第１断熱壁の下方に冷却器を設置する冷却器室が配置されるとともに、前記冷却器室から上方に延びて冷気が流通する上部通路を有し、前記上部通路が冷蔵温度に維持される第１貯蔵室及び第２貯蔵室の一方を避けて冷凍温度に維持される他方の後方に配され、前記仕切壁の後端部が前記上部通路及び前記冷却器室に臨み、前記上部通路の側壁と前記冷却器室の上壁とを連結する傾斜面から成る気流案内部を前記仕切壁の後端部に設けたことを特徴とする。
【００１３】
また本発明は、上記構成の冷蔵庫において、前記気流案内部の鉛直下方に送風ファンを配置したことを特徴とする。
【発明の効果】
【００１４】
本発明によると、仕切壁が設置される際に嵌合部を溝部に挿入した状態で前後方向に垂直な面内で回動して係止面により係止されるため、仕切壁を容易に設置できる。このため、製造工数を削減できる。
【図面の簡単な説明】
【００１５】
【図１】本発明の第１実施形態の冷蔵庫を示す正面図
【図２】本発明の第１実施形態の冷蔵庫の本体部の正面図
【図３】図２のＡ−Ａ断面図
【図４】図２のＢ−Ｂ断面図
【図５】本発明の第１実施形態の冷蔵庫の断熱壁近傍を下方から見た斜視図
【図６】本発明の第１実施形態の冷蔵庫の断熱壁近傍を上方から見た斜視図
【図７】本発明の第１実施形態の冷蔵庫の仕切壁の上部を示す正面断面図
【図８】本発明の第１実施形態の冷蔵庫の仕切壁の下部を示す正面断面図
【図９】本発明の第１実施形態の冷蔵庫の断熱壁の断面斜視図
【図１０】本発明の第１実施形態の冷蔵庫の仕切壁の装着時の状態を示す正面断面図
【図１１】本発明の第２実施形態の冷蔵庫の上部通路の下部及び冷却器室を示す斜視図
【図１２】本発明の第３実施形態の冷蔵庫の断熱壁及び仕切壁の下部を示す正面断面図
【図１３】本発明の第４実施形態の冷蔵庫の断熱壁及び仕切壁の上部を示す正面断面図
【発明を実施するための形態】
【００１６】
＜第１実施形態＞
以下に本発明の実施形態を図面を参照して説明する。図１は第１実施形態の冷蔵庫１の正面図を示している。冷蔵庫１は発泡断熱材が充填された本体部２（図２参照）に設けられる複数の貯蔵室の前面にそれぞれ扉が配される。冷蔵庫１の上部には貯蔵物を冷蔵保存する冷蔵室４が配され、冷蔵室４の前面は観音開きの扉４Ｌ及び扉４Ｒにより開閉される。冷蔵庫１の下部には貯蔵物を冷凍保存する冷凍室６が配され、冷凍室６の前面は収納ケース６ｄ（図２参照）と一体の引出式の扉６ａにより開閉される。
【００１７】
冷蔵室４と冷凍室６との間には右方に偏って野菜室（第１貯蔵室）５が配される。野菜室５は冷蔵室４よりも高温の冷蔵温度に維持されて野菜等の貯蔵物を冷蔵保存し、収納ケース５０（図２参照）と一体の引出式の扉５ａにより開閉される。
【００１８】
また、冷蔵室４と冷凍室６との間には野菜室５の左方に隣接して冷凍温度に維持される冷凍区画部（第２貯蔵室）２１（図２参照）が設けられる。冷凍区画部２１は上部に配される製氷室２５と下部に配される冷凍室２６とを有している。製氷室２５の前面は貯氷ケース２５ｂ（図２参照）と一体の引出式の扉２５ａにより開閉される。冷凍室２６の前面は収納ケース２６ｂ（図２参照）と一体の引出式の扉２６ａにより開閉される。
【００１９】
尚、扉５ａは冷蔵室４の扉４Ｒと同じ横幅に形成され、扉２５ａ、２６ａは冷蔵室４の扉４Ｌと同じ横幅に形成される。これにより、冷蔵庫１の美観を向上することができる。
【００２０】
図２は本体部２の正面図を示している。また、図３は図２のＡ−Ａ断面図を示し、図４は図２のＢ−Ｂ断面図を示している。本体部２は内箱と外箱との間に発泡断熱材１３を充填した断熱箱体３により各貯蔵室を形成する。冷蔵室４と野菜室５との間及び冷蔵室４と製氷室２５との間は水平に配された断熱壁（第２断熱壁）１８によって仕切られる。冷凍区画部２１及び野菜室５と冷凍室６との間は水平に配された断熱壁（第１断熱壁）１９によって仕切られる。野菜室５と冷凍区画部２１との間は鉛直に配された仕切壁２０によって仕切られる。なお、断熱壁１８及び断熱壁１９は断熱箱体３の形成時に一体に形成され、発泡断熱材が充填される。また、仕切壁２０は発泡断熱材１３が充填され、詳細を後述するように断熱壁１８と断熱壁１９との間に設置して固定される。
【００２１】
断熱壁１９は冷凍室２６の下方に水平方向に延びて冷凍室６と冷凍室２６との間を仕切る仕切壁３６を形成し、仕切壁３６の後方には開口部３６ａ（図５参照）が形成される。製氷室２５と冷凍室２６との間の前端部には水平に配された仕切壁３５が設けられる。製氷室２５、冷凍室２６及び冷凍室６は仕切壁３５、３６の後方を介して互いに連通する。
【００２２】
冷蔵室４内には複数の棚４ｂ、４ｃ、４ｄ、４ｅが設けられる。下端の棚４ｅの下方には右側に偏って隔離室から成るチルド室７０が形成される。チルド室７０内には収納ケース７０ａが設けられる。チルド室７０の左方には収納ケース７１を配した小物室が隣接し、小物室の左方には製氷用の水を貯水する貯水タンク７２が配される。
【００２３】
また、野菜室５の収納ケース５０上には収納ケース５１が載置される。冷凍室６の収納ケース６ｄ上には収納ケース６ｃが載置され、収納ケース６ｃ上には収納ケース６ｂが載置される。
【００２４】
本体部２の下部には断熱箱体３の後方に機械室３０が設けられる。機械室３０内には冷凍サイクルを運転する圧縮機３１が配される。
【００２５】
本体部２の後部には冷気が流通する冷気通路７が設けられる。冷気通路７は冷却器室１２と、上部通路９と、下部通路２９と、戻り通路３４とを有している。冷却器室１２は冷凍室２６の下方から野菜室５の下方に亘って冷凍室６の後方に配され、冷却器１１が設置される。冷却器室１２の下端部には冷凍室６から冷気が戻る戻り口９ｃが設けられる。
【００２６】
上部通路９は冷却器室１２から上方に延び、下部通路２９は仕切板２７を介して冷却器室１２の前面に配される。戻り通路３４は野菜室５から下方に導出され、冷却器室１２の下端部に連結される。また、冷蔵室４の底壁を形成する断熱壁１８には冷蔵室４と野菜室５とを連通させる連通路４ｆが設けられる。
【００２７】
上部通路９内には下方から送風ファン１０、ダンパ２３、送風ファン２４が配される。送風ファン１０は正面投影において仕切壁３６に重なる位置に配される。下部通路２９は送風ファン１０の排気側で上部通路９に対して分岐して下方に延びる。ダンパ２３は冷蔵室４及び野菜室５の冷却時に開かれ、上部通路９のダンパ２３よりも上方に形成された冷蔵用通路８に冷気を導く。送風ファン２４はダンパ２３を開いた際に駆動される。なお、ダンパ２３よりも下方の上部通路９及び下部通路２９の前面はパネル７ａによりにより覆われる。また、上部通路９のダンパ２３よりも上方の冷蔵用通路８の前面はパネル７ｂにより覆われる。
【００２８】
上部通路９のダンパ２３よりも上方の冷蔵用通路８は冷蔵室４の背面及び天井面に沿って配され、冷蔵室４に臨む複数の吐出口８ａ〜８ｆが開口する。吐出口８ａは冷蔵室４の天井面上の冷蔵用通路８の前部に設けられる。吐出口８ｂ〜８ｄは各棚板４ｂ〜４ｅの間に設けられる。下方の吐出口８ｅ、８ｆはチルド室７０内に臨む。
【００２９】
上部通路９のダンパ２３よりも下方は野菜室５を避けて製氷室２５及び冷凍室２６の後方を通り、製氷室２５に臨む吐出口９ａ及び冷凍室２６に臨む吐出口９ｂが開口する。下部通路２９には冷凍室６に臨む吐出口２９ａ〜２９ｄが開口する。吐出口２９ａ〜２９ｃは冷凍室２６の鉛直下方に上下方向に並設される。吐出口２９ｄは野菜室５の鉛直下方に配される。
【００３０】
圧縮機３１及び送風ファン１０の駆動によって冷却器室１２を流通する空気と冷却器１１とが熱交換して冷気が生成される。生成された冷気は吐出口９ａから製氷室２５に吐出され、吐出口９ｂから冷凍室２６に吐出される。また、冷気は下部通路２９を流通して吐出口２９ａ、２９ｂ、２９ｃから冷凍室６に吐出される。吐出された冷気は製氷室２５、冷凍室２６及び冷凍室６内を流通し、戻り口９ｃを介して冷却器１１に戻る。これにより、製氷室２５、冷凍室２６及び冷凍室６内の冷却が行われる。
【００３１】
ダンパ２３が開かれると上部通路９の冷蔵用通路８に冷気が流入し、吐出口８ａ、８ｂ、８ｃ、８ｄ、８ｅ、８ｆから冷蔵室４に吐出される。吐出された冷気は冷蔵室４の前方へ流通した後に下方に流通し、連通路４ｆから流出する。これにより、冷蔵室４内の冷却が行われる。
【００３２】
その後、連通路４ｆを介して冷気は野菜室５内に吐出され、野菜室５内の前部から後部へと流通し、戻り通路３４を介して冷却器室１２に戻る。これにより、野菜室５内の冷却が行われる。
【００３３】
図５は断熱壁１９近傍を下方から見た斜視図であり、パネル７ａ（図３参照）及び仕切板２７（図３参照）を省いた状態を示している。断熱壁１９の仕切壁３６の後方には開口部３６ａが設けられ、冷凍室６と冷凍室２６とが連通する。開口部３６ａの後部の右側壁には傾斜面から成る気流案内部３６ｂが設けられる。気流案内部３６ｂによって上部通路９の側壁と断熱壁１９の下面により形成される冷却器室１２の上壁とが連結される。これにより、左右幅の大きい冷却器室１２から冷凍区画部２１（図１参照）の後方に配した左右幅の狭い上部通路９に円滑に冷気が流入する。従って、冷気通路７の圧力損失を低減することができる。
【００３４】
図６は断熱壁１９近傍を上方から見た斜視図を示している。断熱壁１９及び仕切壁２０の前面には冷凍サイクルを形成する放熱パイプ５２が配されている。放熱パイプ５２は水平部５２ａ及び垂直部５２ｂを有している。水平部５２ａは断熱壁１９の厚み内で蛇行し、水平方向に延びて上下に２列設けられる。垂直部５２ｂは水平部５２ａから上方に延びてＵ字状に形成され、仕切壁２０の厚み内に設けられる。
【００３５】
野菜室５の底壁を形成する断熱壁１９の後部と左側壁を形成する仕切壁２０の後部との間には気流案内部３６ｂとの干渉を回避する回避部５ｂが設けられる。尚、野菜室５内の収納ケース５０（図４参照）の側壁と底壁との間には回避部５ｂとの干渉を回避する面取り（不図示）が形成される。
【００３６】
図７は仕切壁２０の上部の正面断面図を示し、図８は仕切壁２０の下部の正面断面図を示している。断熱壁１８の下面には前後方向に延びる段差部４３が突設されている。段差部４３は係止面４３ａ及び平坦部４３ｂを有している。段差部４３の係止面４３ａは野菜室５側の面に設けられ、野菜室５に近づくにつれて上方に傾斜する傾斜面により形成されている。平坦部４３ｂは係止面４３ａの下端から製氷室２５側へ水平方向に延びて形成されている。係止面４３ａには可撓性を有するシール部材３９が設けられている。
【００３７】
仕切壁２０の上端部には傾斜面からなる当接部４４が設けられている。当接部４４は係止面４３ａに対向して仕切壁２０の製氷室２５側に面して形成され、野菜室５に近づくにつれて上方に延びるように傾斜する。
【００３８】
当接部４４の下端には平坦部４４ａが設けられている。仕切壁２０の野菜室５側の面と当接部４４との間には傾斜した挿通孔４４ｂが設けられ、係止面４３ａに螺合するネジ４２が挿通される。この時、ネジ４２の軸方向は当接部４４に略直交する。これにより、シール部材３９を介して係止面４３ａと当接部４４とを確実に密接させることができ、野菜室５と製氷室２５との間の冷気漏れを防止できる。
【００３９】
図９は断熱壁１９の断面斜視図を示している。断熱壁１９の上面には溝部３７が凹設される。溝部３７は側壁３７ａ、３７ｅの間に平坦部３７ｂ、傾斜面３７ｃ、平坦部３７ｄが連続して形成される。傾斜面３７ｃ（第２傾斜面）は野菜室５に近づくに従って下方に傾斜する。傾斜面３７ｃ上には可撓性のシール部材５３が設けられている。平坦部３７ｂは傾斜面３７ｃの上端から側壁３７ａまで水平方向に延びて形成される。平坦部３７ｄは傾斜面３７ｃの下端から側壁３７ｅまで水平方向に延びて形成される。また、断熱壁１９の上面には溝部３７の左方であって、上方に突出した突出部３８が設けられる。
【００４０】
図８において、仕切壁２０の下端には断熱壁１９上に設置される設置面２０ｄから下方に突出して溝部３７に嵌合する嵌合部４０が設けられる。嵌合部４０の下端には平坦部４０ｂ、傾斜面４０ａ、平坦部４０ｃが連続して形成される。傾斜面４０ａ（第１傾斜面）は嵌合部４０の冷凍室２６側に面して形成され、溝部３７の傾斜面３７ｃに対向する。平坦部４０ｂ、４０ｃは傾斜面４０ａから水平方向に延び、それぞれ溝部３７の平坦部３７ｂ、３７ｄに対向する。
【００４１】
仕切壁２０の野菜室５側の側面２０ｂと設置面２０ｄとの間には傾斜した挿通孔２０ａが設けられ、断熱壁１９に螺合するネジ４１が挿通される。ネジ４１の軸方向は傾斜面４０ａに略直交する。これにより、シール部材５３を介して断熱壁１９と設置面２０ｄとを確実に密接させることができ、野菜室５と製氷室２５との間の冷気漏れを防止できる。また、仕切壁２０の側面２０ｂの下端には野菜室５側に突出するリブ２０ｃが設けられる。
【００４２】
図１０は仕切壁２０の装着時の状態を示す正面断面図である。仕切壁２０は設置される際に野菜室５内に斜めに配置され、嵌合部４０の先端が溝部３７に挿入される。次に、リブ２０ｃの先端及び嵌合部４０の一側面をそれぞれ断熱壁１９の上面及び溝部３７の一方の開口端３７ｆに摺動させながら、仕切壁２０を前後方向に垂直な面内で回動させる。
【００４３】
そして、当接部４４が段差部４３の係止面４３ａ（いずれも図７参照）に当接して仕切壁２０が係止され、嵌合部４０が溝部３７に嵌合する。その後、ネジ４１、４２をそれぞれ断熱壁１８、１９に螺合して仕切壁２０が固定される。この時、段差部４３と当接部４４との隙間はシール部材３９（図７参照）により密閉され、嵌合部４０と溝部３７との隙間はシール部材５３（図８参照）により密閉される。
【００４４】
これにより、周囲温度や湿度によって溝部３７や仕切壁２０の大きさが変動しても仕切壁２０を容易に設置することができる。
【００４５】
また、放熱パイプ５２（図６参照）は一部を断熱箱体３の形成時に断熱箱体３の内部に埋め込まれる。この時、放熱パイプ５２の垂直部５２ｂ（図６参照）は図９に一点鎖線で示すように、溝部３７内に配置される。これにより、仕切壁２０の設置前に断熱壁１９から上方に延びる垂直部５２ｂに作業者が誤って接触して放熱パイプ５２を破損することを防止できる。
【００４６】
本実施形態によると、仕切壁２０が設置される際に嵌合部４０を溝部３７に挿入した状態で前後方向に垂直な面内で回動して段差部４３により係止されるため、仕切壁２０を容易に設置できる。このため、冷蔵庫１の製造工数を削減することができる。
【００４７】
また、傾斜面４０ａと傾斜面３７ｃとの間にシール部材５３を配される。これにより、仕切壁２０の加工精度によって嵌合部４０の下端が溝部３７に対して上方向にずれても傾斜したシール部材５３により嵌合部４０と溝部３７との隙間が密閉できる。
【００４８】
また、ネジ４１の軸方向が傾斜面４０ａに略直交するため、ネジ４１の締め付けによって傾斜面３７ｃと傾斜面４０ａとの隙間を確実に密閉することができる。
【００４９】
また、係止面４３ａが傾斜面により形成されるとともに仕切壁２０に係止面４３ａに対向する傾斜面から成る当接部４４を有し、係止面４３ａと当接部４４との間にシール部材３９を配したため、野菜室５と冷凍区画部２１との密閉性をより向上し、冷蔵庫１の冷却効率を向上することができる。
【００５０】
また、傾斜面の係止面４３ａと当接部４４との間にシール部材３９が配される。これにより、仕切壁２０の加工精度によって当接部４４が段差部４３に対して上方向にずれても傾斜したシール部材３９により当接部４４と段差部４３との隙間が密閉される。これにより、冷蔵庫１の冷却効率を向上することができる。
【００５１】
また、野菜室５（第１貯蔵室）が冷蔵温度に維持され、仕切壁２０により野菜室５と仕切られる冷凍区画部２１（第２貯蔵室）が冷凍温度に維持される。このため、シール部材３９やシール部材５３によって野菜室５と冷凍区画部２１との間を密閉し、温度の異なる冷気の侵入を防止できる。従って、冷蔵庫１の冷却効率を向上することができる。
【００５２】
また、仕切壁２０の前面に配置される放熱パイプ５２を仕切壁２０の設置前に溝部３７内に配置することができる。従って、仕切壁２０の設置前の放熱パイプ５２の破損を防止することができる。
【００５３】
また、上部通路９の側壁と冷却器室１２の上壁とを連結する傾斜面から成る気流案内部３６ｂを仕切壁の後端部にため、左右幅の大きい冷却器室１２から冷凍区画部２１の後方に配した左右幅の狭い上部通路９に円滑に冷気が流入する。従って、冷気通路７の圧力損失を低減することができる。
【００５４】
＜第２実施形態＞
次に、図１１は第２実施形態の冷蔵庫１の上部通路９の下部及び冷却器室１２の斜視図を示している。説明の便宜上、前述の図１〜図１０に示す第１実施形態と同様の部分には同一の符号を付している。本実施形態は第１実施形態に対して送風ファン１０の配置場所が異なっている。その他の部分は第１実施形態と同様である。
【００５５】
送風ファン１０は気流案内部３６ｂの鉛直下方に配されている。このため、左方に偏って配された上部通路９に冷却器室１２の右端部の気流を停留させずに導くことができる。従って、冷却器室１２内の気流を冷却器１１全体と熱交換させることができ、冷却器１１の熱交換効率を向上することができる。
【００５６】
本実施形態によると、第１実施形態と同様の効果を奏することができる。また、送風ファン１０は気流案内部３６ｂの鉛直下方に配されているため、冷気通路７の熱交換効率を向上することができる。
【００５７】
＜第３実施形態＞
次に、図１２は第３実施形態の嵌合部４０及び溝部３７の正面断面図を示している。説明の便宜上、前述の図１〜図１０に示す第１実施形態と同様の部分には同一の符号を付している。本実施形態は嵌合部４０及び溝部３７の形状が異なっている。その他の部分は第１実施形態と同様である。
【００５８】
傾斜面３７ｃは平坦部３７ｄから開口端３７ｆと同じ高さまで延びて形成されている。これに伴い、嵌合部４０の傾斜面４０ａも第１実施形態と比べて大きくなっている。これより、シール部材５３が第１実施形態と比較すると大きくなっている。シール部材５３が大きくなったために、仕切壁２０による密封性をより向上することができる。
【００５９】
本実施形態によると、第１実施形態と同様の効果を奏することができる。また、シール部材５３が大きくなったため、仕切壁２０による密封性をより向上でき、冷蔵庫１の冷却効率を向上することができる。
【００６０】
＜第４実施形態＞
次に、図１３は第４実施形態の段差部４３及び当接部４４の正面断面図を示している。説明の便宜上、前述の図１〜図１０に示す第１実施形態と同様の部分には同一の符号を付している。本実施形態は段差部４３及び当接部４４の形状が異なっている。その他の部分は第１実施形態と同様である。
【００６１】
段差部４３の係止面４３ａは垂直方向に延びて形成されている。このため、シール部材３９も垂直方向に配されている。係止面４３ａに当接する当接部４４も垂直方向に延びて形成されている。
【００６２】
本実施形態によると、第１実施形態と同様の効果を奏することができる。また、段差部４３及び当接部４４を簡略化できる。これにより製造コストを削減できる。
【００６３】
第１〜第４実施形態において水平な断熱壁１８、１９に段差部４３や溝部３７が設けられ、断熱壁１８、１９間に配した垂直な仕切壁２０に当接部４４や嵌合部４０が設けられている。これに対し、本体部２に設けられた対向する一対の水平な断熱壁に段差部４３や溝部３７を設け、断熱壁１８、１９間に配した垂直な仕切壁に当接部４４や嵌合部４０を設けてもよい。これにより、前後方向に垂直な面内で仕切壁を回動して水平な仕切壁を容易に設置することができる。
【００６４】
例えば、断熱箱体３の両側壁から成る断熱壁にそれぞれ段差部４３や溝部３７を形成し、仕切壁を形成する断熱壁１８に当接部４４や嵌合部４０を設けてもよい。また、断熱箱体３の一側壁から成る断熱壁と、断熱壁から成る仕切壁２０にそれぞれ段差部４３や溝部３７を形成し、仕切壁３５に当接部４４や嵌合部４０を設けてもよい。この時、仕切壁３５は発泡断熱材１３が充填されていなくてもよい。
【産業上の利用可能性】
【００６５】
本発明によると、仕切壁を備えた冷蔵庫に利用することができる。
【符号の説明】
【００６６】
１      冷蔵庫
２      本体部
３      断熱箱体
４      冷蔵室
４ｂ、４ｃ、４ｄ、４ｅ    棚
４ｆ    連通路
５      野菜室（第１貯蔵室）
５ａ    扉
５ｂ    回避部
６      冷凍室
６ａ    扉
６ｂ、６ｃ、６ｄ  収納ケース
７      冷気通路
７ａ    パネル
７ｂ    パネル
８      冷蔵用通路
８ａ、８ｂ、８ｃ、８ｄ、８ｅ、８ｆ    吐出口
９      上部通路
９ａ、９ｂ    吐出口
１０    送風ファン
１１    冷却器
１２    冷却器室
１３    発泡断熱材
１４    外箱
１５    内箱
１８、１９    断熱壁
２０    仕切壁
２０ａ  挿通孔
２０ｂ  側面
２０ｃ  リブ
２０ｄ  設置面
２１    冷凍区画部（第２貯蔵室）
２３    ダンパ
２４    送風ファン
２５    製氷室
２５ａ  扉
２５ｂ  製氷皿
２６    冷凍室
２６ａ  扉
２６ｂ  収納ケース
２７    仕切板
２９    下部通路
２９ａ、２９ｂ、２９ｃ、２９ｄ  吐出口
３０    機械室
３１    圧縮機
３４    戻り通路
３５、３６  仕切壁
３６ａ  開口部
３６ｂ  気流案内部
３７    溝部
３７ａ  側壁
３７ｂ  平坦部
３７ｃ  傾斜面（第２傾斜部）
３７ｄ  平坦部
３７ｅ  側壁
３７ｆ  開口端
３８    突出部
３９    シール部材
４０    嵌合部
４０ａ  傾斜面（第１傾斜部）
４０ｂ、４０ｃ  平坦部
４１、４２    ネジ
４３    段差部
４３ａ  係止面
４３ｃ  平坦部
４４    当接部
４４ａ  平坦部
４４ｂ  挿通孔
５０    収納ケース
５１    小物ケース
５２    放熱パイプ
５２ａ  水平部
５２ｂ  垂直部
５３    シール部材
７０    チルド室
７０ａ  収納ケース
【図１】
0006386274.tif 000002
【図２】
0006386274.tif 000003
【図３】
0006386274.tif 000004
【図４】
0006386274.tif 000005
【図５】
0006386274.tif 000006
【図６】
0006386274.tif 000007
【図７】
0006386274.tif 000008
【図８】
0006386274.tif 000009
【図９】
0006386274.tif 000010
【図１０】
0006386274.tif 000011
【図１１】
0006386274.tif 000012
【図１２】
0006386274.tif 000013
【図１３】
0006386274.tif 000014